(57)【要約】【課題】画像などの情報量の多いデータを効率よく印刷する。【解決手段】記録媒体に記録再生を行う再生装置であって、入力されたデータに対応して識別データを作成する識別データ作成手段と識別データと識別データとを関連付けて記憶するデータ記憶手段とを持ち、記録再生装置に記録媒体が入力された場合にはまず識別データのみを記録し、後で識別データが記録された記録媒体が挿入された場合に対応する入力データを記録する。記録媒体は名刺であり、記録方法は名刺への印刷である事を特徴とする記録再生装置。【選択図】        図１
2004181856.tif 000002
【特許請求の範囲】
【請求項１】
データ入力手段と、
データ入力手段から入力されるデータに対応した識別データを作成する識別データ作成手段と、
前記入力データと前記識別データとを関連づけて記憶するデータ記憶手段と、
前記入力データと前記識別データとを記録媒体に記録再生する記録再生手段と、
上記各手段を制御する記録再生制御手段とを有し
入力データに対応した識別データを該入力データと共に着脱可能な記録媒体に記録再生を行う記録再生装置であって、
前記記録再生制御手段は記録装置に識別データが未記録の記録媒体が挿入された場合には、識別データのみを記録し、識別データが記録された記録媒体が挿入された場合には識別データに対応する前記入力データをデータ記憶手段から検索し、検索された入力データを挿入された記録媒体に記録する事を特徴とする記録再生装置。
【請求項２】
すでに識別データに対応する入力データが記録済みの記録媒体が挿入された場合には記録動作を行わない事を特徴とする請求項１に記載の記録再生装置。
【請求項３】
前記着脱可能な記録媒体は名刺である事を特徴とする請求項１に記載の記録再生装置。
【請求項４】
前記記録再生手段の記録方法は印刷である事を特徴とする請求項１に記載の記録再生装置。
【請求項５】
前記入力データは画像データであることを特徴とする請求項１に記載の記録再生装置。
【請求項６】
識別データに対応する入力データを記録媒体に記録した場合には、入力データが記録済みであることを示す記録済み情報を記録媒体に記録することを特徴とする請求項１に記載の記録再生装置。
【請求項７】
記録済み情報が記録された記録媒体が挿入された場合には、更なる記録動作を行わない事を特徴とする請求項１に記載の記録再生装置。
【請求項８】
識別データに対応する入力データを記録媒体に記録した場合には、入力データが記録済みであることを示す記録済みデータを前記データ記憶手段内に記憶することを特徴とする請求項１に記載の記録再生装置。
【請求項９】
識別データが記録された記録媒体が挿入され、記録媒体に記録されている識別データに対応する記録済みデータが前記データ記憶手段内に記憶されている情報については記録媒体が挿入された場合でも記録動作を行わない事を特徴とする請求項１に記載の記録再生装置。
【請求項１０】
識別データは入力データが入力された日時情報である事を特徴とする請求項１に記載の記録再生装置。
【請求項１１】
識別データは入力データが入力された日時情報と記録装置に固有の情報である事を特徴とする請求項１に記載の記録再生装置。
【発明の詳細な説明】
【０００１】
【発明の属する技術分野】
本発明は、名刺やはがき等に印刷を行う記録再生装置に関するものである。
【０００２】
【従来の技術】
従来名刺などのカードに顔写真等を印刷する装置として電子スチルカメラとプリンタを一体化したものがある。これらの装置では電子スチルカメラで撮影した相手の顔画像をシールプリントに印刷して、作成されたシールを名刺に貼り付けるようにしたものである。またシールに印刷せず、直接名刺やカードに印刷するものもあった。
【０００３】
【発明が解決しようとする課題】
このようなカメラ付きの小型プリンタにおいて、会議や商談の場で相手の画像や商品の画像等を撮影して名刺やシールにカラー印刷する場合、画像データのデータ量は大きい為、印刷作業に時間がかかってしまい、会議や商談が一時中断してしまう場合があった。特に印刷する画像データが大きい場合や印刷枚数が多い場合には煩雑な作業になっていた。
【０００４】
本発明は上記問題を解決する為のものであり、ビジネスの打ち合わせの現場においても迅速な名刺の区分けが可能で快適な印刷作業が行える記録再生装置を提供する事を目的とする。
【０００５】
【課題を解決するための手段】
本発明に係る記録装置は、下記の構成を備えることにより上記課題を解決できるものである。
【０００６】
（１）データ入力手段と、データ入力手段から入力されるデータに対応した識別データを作成する識別データ作成手段と、前記入力データと前記識別データとを関連づけて記憶するデータ記憶手段と、前記入力データと前記識別データとを記録媒体に記録再生する記録再生手段と、上記各手段を制御する記録再生制御手段とを有し入力データに対応した識別データを該入力データと共に着脱可能な記録媒体に記録再生を行う記録再生装置であって、前記記録再生制御手段は記録装置に識別データが未記録の記録媒体が挿入された場合には、識別データのみを記録し、識別データが記録された記録媒体が挿入された場合には識別データに対応する前記入力データをデータ記憶手段から検索し、検索された入力データを挿入された記録媒体に記録する事を特徴とする記録再生装置。
【０００７】
（２）すでに識別データに対応する入力データが記録済みの記録媒体が挿入された場合には記録動作を行わない事を特徴とする前項（１）に記載の記録再生装置。
【０００８】
（３）前記着脱可能な記録媒体は名刺である事を特徴とする前項（１）に記載の記録再生装置。
【０００９】
（４）前記記録再生手段の記録方法は印刷である事を特徴とする前項（１）に記載の記録再生装置。
【００１０】
（５）前記入力データは画像データであることを特徴とする前項（１）に記載の記録再生装置。
【００１１】
（６）識別データに対応する入力データを記録媒体に記録した場合には、入力データが記録済みであることを示す記録済み情報を記録媒体に記録することを特徴とする前項（１）に記載の記録再生装置。
【００１２】
（７）記録済み情報が記録された記録媒体が挿入された場合には、更なる記録動作を行わない事を特徴とする前項（１）に記載の記録再生装置。
【００１３】
（８）識別データに対応する入力データを記録媒体に記録した場合には、入力データが記録済みであることを示す記録済みデータを前記データ記憶手段内に記憶することを特徴とする前項（１）に記載の記録再生装置。
【００１４】
（９）識別データが記録された記録媒体が挿入され、記録媒体に記録されている識別データに対応する記録済みデータが前記データ記憶手段内に記憶されている情報については記録媒体が挿入された場合でも記録動作を行わない事を特徴とする前項（１）に記載の記録再生装置。
【００１５】
（１０）識別データは入力データが入力された日時情報である事を特徴とする前項（１）に記載の記録再生装置。
【００１６】
（１１）識別データは入力データが入力された日時情報と記録装置に固有の情報である事を特徴とする前項（１）に記載の記録再生装置。
【００１７】
【発明の実施の形態】
（第１の実施例）
以下、図面を参照して、本発明の第１の実施例を詳細に説明する。
【００１８】
図１は本発明における第１の実施例である名刺プリンタの主要構成部を示すブロック図である。第２図は第１の実施例のシステム外観図、図３は第１の実施例の動作を示すフローチャートである。
【００１９】
図１において１０１は撮影した被写体の光学像を電気映像信号に変換する撮像部、１０２はシステムを操作するスイッチ類のある操作部、１０３は撮影した映像信号や各種データをＬＣＤ等に表示する表示部、１０４は印刷する名刺を出し入れする為の名刺挿入排出部、１０５は挿入された名刺に画像や文字データ等を印刷する印刷部である。１０６は名刺にバーコード等で印刷されている識別データを読み込むスキャナ部、１０７は撮像部で撮影された画像データや画像データに対応する識別データ等を記憶するメモリ部、１０８はシステム全体を制御する制御部であり、その内部にＣＰＵ１０９を含んでいる。
【００２０】
図２は図１の構成を持つシステムの外観図であり、外側には撮像部１０１、操作部１０２、表示部１０３、名刺挿入排出部１０４が構成されており、挿入される名刺２０１に各種の印刷を行い排出するようになっている。また、その他の構成要素は図示しないシステムの内側に構成されている。
【００２１】
このように構成されるシステムの動作を図３のフローチャートを用いて説明する。先ず、図３のＳ３０１でシステムに名刺が挿入されると次のＳ３０２に処理が移り、名刺から識別データを読み込む処理を行う。ここでの読み込み処理は図１におけるスキャナ部１０６が行う。次のＳ３０３では名刺に所定の識別データが印刷されているかどうかを判定する処理を行う。Ｓ３０３にて所定の識別データが印刷されていないと判定された場合はＳ３０４で画像データの取り込み処理を行う。画像データの取り込み処理は図１において操作部１０２からの撮影指示を受けて撮像部１０１が被写体を撮像して画像データを得る処理である。ここでの被写体は通常は名刺をもらった商談相手や打ち合わせ現場の画像等が挙げられるが使用者が撮影したいものであれば何でも良い。図３の処理Ｓ３０４で画像データの取り込みが終了するとＳ３０５にて撮影データに対応した識別データの作成を行う。識別データは撮影した日付と何時何分に撮影されたか、更に撮影したシステム固有のコードナンバーのように撮影された画像データと１対１で対応がとれるような識別データを作成する。
【００２２】
次にＳ３０６では撮影された画像データと対応する識別データを図１におけるメモリ部１０７に格納する処理を行う。メモリ部１０７内部には図４に示すようなデータ構成で、撮影された画像データとそれに対応する識別データとが格納される。その後の処理Ｓ３０７では挿入された名刺にＳ３０５の処理で作成された識別データを印刷する処理を行う。ここで識別データが印刷される形態はバーコードの形で印刷しても良いし、識別データを数値化して数字を印刷しても良い。つまり印刷の後でスキャナ部１０６が読み込んで判別できるものであればその記録形式に制限は無い。識別データの印刷処理を終えるとＳ３０８で名刺を排出する処理を行う。さらに処理を継続する場合はＳ３０１にもどって処理を継続する。
【００２３】
図５は図３のフローチャートＳ３０１〜Ｓ３０８で説明したシステムの動作を具体的に説明する図である。図５の５０１で示すように名刺が挿入され、操作部１０２の撮影指示により５０２で示す画像データが撮像部に入力されると５０３で示すような識別データが印刷された名刺が排出される。これら一連の動作においては名刺には識別データのみしか印刷を行わないので印刷作業はごく短い時間で済む。仕事の打ち合わせ現場等で上記印刷を行う場合も非常に短時間の印刷時間で済むので不要なイライラも防止でき打ち合わせを中断さてしまうような事態も防止できる。
【００２４】
次に図３のフローチャートを用いてすでに識別データが印刷された名刺に画像データを印刷する場合の処理を説明する。図３のＳ３０３の処理で挿入された名刺に識別データが印刷されていると判断されると処理がＳ３１０に移行し画像印刷済みマーカーがあるかどうかを判断する処理を行う。Ｓ３１０の処理にて画像印刷済みマーカーが名刺に印刷されていると判断された場合にはＳ３０８の処理に移行して挿入された名刺の排出処理を行う。Ｓ３１０の処理にて画像印刷済みマーカーが名刺に印刷されていないと判断された場合にはＳ３１１の処理にて印刷されている識別データに対応する画像データがメモリ内に存在するかどうかの検索を行う。Ｓ３１２の処理にてメモリ内に対応する画像データが無いと判断された場合にはＳ３０８の処理に移行して挿入された名刺の排出処理を行う。Ｓ３１２の処理にてメモリ内に対応する画像データがあると判断された場合にはＳ３１３にて識別データに対応する画像データを名刺に印刷する処理を行う。名刺に画像を印刷する処理を終えるとＳ３１４にて名刺に画像印刷済みマーカーを印刷する処理を行う。
【００２５】
図６は図３のフローチャートＳ３０１〜Ｓ３０３、Ｓ３１０〜Ｓ３１４、Ｓ３０８で説明したシステムの動作を具体的に説明する図である。図６の６０１で示す識別データが印刷された名刺が挿入されると６０２で示すように識別データに対応する画像が印刷された名刺が排出される。
【００２６】
また、すでに画像データも印刷された名刺が再びシステムに挿入された場合は、図３のＳ３１０の処理で説明したように名刺に印刷された画像印刷済みマーカーを用いて画像データは既に印刷済みであると判断できるのでＳ３０８の処理に移行して挿入された名刺は排出される。そのため画像データが再び上書きされる心配はなくなる。
【００２７】
以上説明したように打ち合わせの現場などで最初に名刺が挿入された場合はＳ３０１〜Ｓ３０８で説明したように識別データのみしか印刷を行わないので印刷作業はごく短い時間で済む。その為不要なイライラも防止でき打ち合わせを中断させる事態も防ぐ事ができる。また打ち合わせの後で撮影した画像データを印刷する場合に、色々な名刺が混ざっていたとしても識別データを元に画像データを印刷するので名刺に対応した画像を正しく印刷することができる。
【００２８】
（第２の実施例）
以下、図面を参照して、本発明の第２の実施例を詳細に説明する。
【００２９】
第２の実施例におけるシステム外観図や内部構成を示すブロック図は第１の実施例と同じなので説明を省略する。本実施例の特徴は名刺に画像が印刷済みである事を示す情報を名刺に印刷するのではなく、システムのメモリ内に持つことを特徴とする。以下本実施例の動作を図７のフローチャートを用いて説明する。先ず、図７のＳ７０１でシステムに名刺が挿入されると次のＳ７０２に処理が移り、名刺から識別データを読み込む処理を行う。この読み込む処理は図１におけるスキャナ部１０６が行う。次のＳ７０３では名刺に所定の識別データが印刷されているかどうかを判定する処理を行う。Ｓ７０３にて所定の識別データが印刷されていないと判定された場合はＳ７０４で画像データの取り込み処理を行う。画像データの取り込み処理は図１において操作部１０２からの撮影指示を受けて撮像部１０１が被写体を撮像して画像データを得る処理である。図７の処理Ｓ７０４で画像データの取り込みが終了するとＳ７０５にて撮影データに対応した識別データの作成を第１の実施例と同様に、撮影された画像データと１対１で対応がとれるような識別データを作成する。次にＳ７０６では撮影された画像データと対応する識別データとを図１におけるメモリ部１０７に格納する処理を行う。その後の処理Ｓ７０７では挿入された名刺にＳ７０５の処理で作成された識別データを印刷する処理を行う。識別データの印刷処理を終えるとＳ７０８でメモリ内の画像印刷済みフラグを印刷が未だである事を示す”Ｌｏ”つまり“０”にする処理を行う。本実施例においてメモリ部１０７内部には図８に示すようなデータ構成で撮影された画像データとそれに対応する識別データ、さらには画像データを印刷済みであるか否かを示す画像印刷済みフラグが格納されるようになる。その後図７のＳ７３０９で名刺を排出する処理を行う。さらに処理を継続する場合はＳ７０１にもどって処理を継続する。
【００３０】
次に図７のフローチャートを用いて既に識別データが印刷された名刺に画像データを印刷する場合の処理を説明する。図７のＳ７０３の処理で挿入された名刺に識別データが印刷されていると判断されると処理がＳ７１１に移行しメモリ内の画像印刷済みフラグの状態を判断する処理を行う。Ｓ７１１の処理にて画像印刷済みフラグが画像を印刷済みである事を示す“Ｈｉ”つまり“１”である場合にはＳ７０９の処理に移行して挿入された名刺の排出処理を行う。Ｓ７１１の処理にて画像印刷済みフラグが印刷が未だである事を示す”Ｌｏ”つまり“０”の場合にはＳ７１２の処理に移行して印刷されている識別データに対応する画像データがメモリ内に存在するかどうかの検索を行う。Ｓ７１３の処理にてメモリ内に対応する画像データが無いと判断された場合にはＳ７０９の処理に移行して挿入された名刺の排出処理を行う。Ｓ７１３の処理にてメモリ内に対応する画像データがあると判断された場合にはＳ７１４にて識別データに対応する画像データを名刺に印刷する処理を行う。名刺に画像の印刷を終えるとＳ７１５にてメモリ内の画像印刷済みフラグを画像を印刷済みである事を示す”Ｈｉ”つまり“１”にする処理を行う。
【００３１】
図９は図３のフローチャートＳ７０１〜Ｓ７０３、Ｓ７１１〜Ｓ７１５、Ｓ７０９で説明したシステムの動作をした場合のメモリ部１０７のデータ状態を示す図である。図９のデータ状態は画像データ３までの画像印刷済みフラグが“１”であるので画像データ３までのデータは既に名刺に印刷済みである事を示している。
【００３２】
ここで例えば既に画像データ２が印刷された名刺が再びシステムに挿入された場合は、図７のＳ７１１の処理で説明したようにメモリ内の画像印刷済みフラグの状態を判断する処理を行うので、名刺に画像データは印刷済みであると判断されＳ７０９の処理に移行して挿入された名刺は排出される。そのため画像データが再び上書きされる心配はなくなる。
【００３３】
以上説明したように本実施例においても打ち合わせの現場などで最初に名刺が挿入された場合はＳ７０１〜Ｓ７０９で説明したように識別データのみしか印刷を行わないので印刷作業はごく短い時間で済むので不要なイライラも防止でき打ち合わせを中断させる事態も防止できる。また打ち合わせの後で撮影した画像データを印刷する場合に、色々な名刺が混ざっていたとしても識別データを元に画像データを印刷するので名刺に対応した画像を正しく印刷することができる。さらに本実施例においては画像を印刷済みであるか否かの判定にメモリ内の画像印刷済みフラグを用いているので第１の実施例のように名刺に画像印刷済みマーカーを印刷する必要が無い。
【００３４】
（その他の実施例）
上述した実施例の機能を実現するように各種のデバイスを動作させるべく当該各種デバイスと接続された装置又はシステム内のコンピュータに、上記実施例の機能を実現するためのソフトウエアのプログラムコードを供給し、その装置又はシステムのコンピュータ（ＣＰＵ又はＭＰＵ）を格納されたプログラムに従って動作させ、前記各種デバイスを動作させることによって実施したものも、本願発明の範囲に含まれる。
【００３５】
この場合、前記ソフトウエアのプログラムコード自体が、前述した実施例の機能を実現することになり、そのプログラムコード自体、及びそのプログラムコードをコンピュータに供給するための手段、例えば、かかるプログラムコードを格納した記憶媒体は、本発明を構成する。かかるプログラムコードを格納する記憶媒体としては、例えば、フロッピー（登録商標）ディスク、ハードディスク、光ディスク、光磁気ディスク、ＣＤ−ＲＯＭ、磁気テープ、不揮発性のメモリカード及びＲＯＭ等を用いることが出来る。
【００３６】
また、コンピュータが供給されたプログラムコードを実行することにより、前述の実施例の機能が実現されるだけではなく、そのプログラムコードがコンピュータにおいて稼働しているＯＳ（オペレーティングシステム）又は他のアプリケーションソフトウエア等と共同して上述の実施例の機能が実現される場合にも、かかるプログラムコードが本出願に係る発明の実施例に含まれることは言うまでもない。
【００３７】
更には、供給されたプログラムコードが、コンピュータの機能拡張ボード又はコンピュータに接続された機能拡張ユニットに備わるメモリに格納された後、そのプログラムコードの指示に基づいて、その機能拡張ボード又は機能拡張ユニットに備わるＣＰＵ等が実際の処理の一部または全部を行い、その処理によって上述した実施例の機能が実現される場合も、本出願に係る発明に含まれることは言うまでもない。
【００３８】
【発明の効果】
以上説明したように本発明によれば打ち合わせの現場などで最初に名刺が挿入された場合は名刺には識別データのみしか印刷を行わないので印刷作業はごく短い時間で済む。そのため不要なイライラも防止でき印刷作業の為に打ち合わせが中断してしまうような事態を防ぐ事ができる。
【００３９】
本発明によれば識別データを印刷した後で、既に撮影した画像データを印刷する場合に色々な名刺が混ざってしまったとしても識別データを元に画像データを印刷するので各々の名刺に対応した画像を正しく印刷することができる。
また既に画像データが印刷されている名刺を誤って挿入した場合でも名刺またはメモリ内に画像を印刷済みであるか否かの情報も記録されているため、名刺に画像を上書きしてしまう事を防止できる。
【００４０】
さらには画像のデータ量や名刺の枚数が多い場合でも、とりあえずは識別情報のみをごく短時間で印刷しておいて、打ち合わせが終了して時間があるときにゆっくり画像データを印刷すればよいので時間の有効活用が可能になる。また画像を印刷する場合の印刷速度は遅くても良いので安価な印刷装置を用いてシステムを構成する事も可能となる。
【図面の簡単な説明】
【図１】第１の実施例の主要構成要素を示すブロック図である。
【図２】第１の実施例の外観図である。
【図３】第１の実施例におけるシステム制御部の動作を示すフローチャートである。
【図４】第１の実施例におけるメモリ内部のデータ構成を示す図である。
【図５】第１の実施例における識別データの印刷動作を示す図である。
【図６】第１の実施例における画像データの印刷動作を示す図である。
【図７】第２の実施例におけるシステム制御部の動作を示すフローチャートである。
【図８】第２の実施例における画像データ印刷前のメモリ内部のデータ構成を示す図である。
【図９】第２の実施例における画像データ印刷後のメモリ内部のデータ構成を示す図である。
【符号の説明】
１０１  撮影部
１０２  操作部
１０３  表示部
１０４  名刺挿入排出部
１０５  印刷部
１０６  スキャナ部
１０７  メモリ部
１０８  制御部
１０９  ＣＰＵ
２０１  名刺
５０１  識別データ印刷前の名刺
５０２  撮像部に入力される被写体の例
５０３  識別データ印刷後の名刺
６０１  画像データ印刷前の名刺
６０２  画像データ印刷後の名刺
【図１】
2004181856.tif 000003
【図２】
2004181856.tif 000004
【図３】
2004181856.tif 000005
【図４】
2004181856.tif 000006
【図５】
2004181856.tif 000007
【図６】
2004181856.tif 000008
【図７】
2004181856.tif 000009
【図８】
2004181856.tif 000010
【図９】
2004181856.tif 000011